(57)【要約】【課題】必要なＡＣＫチャネル資源を節約するように、ＡＣＫチャネルをユーザに割り当てるための技法を提供する。【解決手段】予約されたＡＣＫチャネルをＮ個のブロックに分割する段階と、予め設定されたシーケンスによってマッピングラベルｄを各ダウンリンクサブフレームに割り当てる段階であって、各マッピングラベルは、１つのブロックに対応し、前記予め設定されたシーケンスはＮ個のダウンリンクサブフレームの元のシーケンス又は特殊サブフレームが最後の位置におかれるシーケンスを有する段階と、各ブロックを複数のサブブロックに分割する段階であって、各サブブロックには、サブブロックラベルｍが割り当てられる段階と、初めに前記マッピングラベルｄの昇順に、次いで前記サブブロックラベルｍの昇順に、前記ダウンリンクサブフレームに前記ＡＣＫチャネルを割り当てる段階と、が含まれる。【選択図】図３
2015173509.tif 000002
【特許請求の範囲】
【請求項１】
確認応答/否定の確認応答(ＡＣＫ／ＮＡＣＫ)情報を基地局により受信するための方法であって、
(Ｎ−ｄ−１)×ＮＣＣＥ，ｍ、ｄ×ＮＣＣＥ，ｍ＋１、およびｎＣＣＥに従って、Ｎ個のダウンリンクサブフレーム内のｄのラベルを有するダウンリンクサブフレームの制御チャネル要素(ＣＣＥ)のＡＣＫチャネルのラベル
【数１】
2015173509.tif 000069
を取得するステップであって、
ｍ∈｛０，１，．．．，ｍａｘ｛Ｍｉ｝−１｝およびＮＣＣＥ，ｍ≦ｎＣＣＥ≦ＮＣＣＥ，ｍ＋１−１であり、
前記ｎＣＣＥが前記ＣＣＥのラベルであり、
前記ＮＣＣＥ，ｍは、物理ダウンリンク制御チャネル(ＰＤＣＣＨ)の送信のために使用されるシンボルの数がｍに等しいときの前記ダウンリンクサブフレーム内の前記ＣＣＥのラベル数を示し、
前記ＮＣＣＥ，ｍ＋１は、前記ＰＤＣＣＨの送信のために使用されるシンボルの数がｍ＋１に等しいときの前記ダウンリンクサブフレーム内のＣＣＥのラベル数を示し、
前記ｍａｘ｛Ｍｉ｝は、前記ＰＤＣＣＨの送信のために使用されるシンボルの数を示し、
Ｎは、０≦ｄ＜Ｎである正の整数を示す、ステップと、
前記ラベル
【数２】
2015173509.tif 000070
を有する前記ＡＣＫチャネルで前記ＡＣＫ／ＮＡＣＫ情報を受信するステップとを含む、方法。
【請求項２】
前記
【数３】
2015173509.tif 000071
は、(Ｎ−ｄ−１)×ＮＣＣＥ，ｍ、ｄ×ＮＣＣＥ，ｍ＋１、およびｎＣＣＥを含む要素の合計である、請求項１に記載の方法。
【請求項３】
前記ダウンリンクサブフレーム内の前記ｎＣＣＥに対応する前記ＣＣＥは、前記ＰＤＣＣＨに占有される初期のＣＣＥである、請求項１に記載の方法。
【請求項４】
確認応答/否定の確認応答(ＡＣＫ／ＮＡＣＫ)情報をユーザ装置により送信するための方法であって、
(Ｎ−ｄ−１)×ＮＣＣＥ，ｍ、ｄ×ＮＣＣＥ，ｍ＋１、およびｎＣＣＥに従って、Ｎ個のダウンリンクサブフレーム内のｄのラベルを有するダウンリンクサブフレームの制御チャネル要素(ＣＣＥ)のＡＣＫチャネルのラベル
【数４】
2015173509.tif 000072
を取得するステップであって、
ｍ∈｛０，１，．．．，ｍａｘ｛Ｍｉ｝−１｝およびＮＣＣＥ，ｍ≦ｎＣＣＥ≦ＮＣＣＥ，ｍ＋１−１であり、
前記ｎＣＣＥが前記ＣＣＥのラベルであり、
前記ＮＣＣＥ，ｍは、物理ダウンリンク制御チャネル(ＰＤＣＣＨ)の送信のために使用されるシンボルの数がｍに等しいときの前記ダウンリンクサブフレーム内の前記ＣＣＥのラベル数を示し、
前記ＮＣＣＥ，ｍ＋１は、前記ＰＤＣＣＨの送信のために使用されるシンボルの数がｍ＋１に等しいときの前記ダウンリンクサブフレーム内のＣＣＥのラベル数を示し、
前記ｍａｘ｛Ｍｉ｝は、前記ＰＤＣＣＨの送信のために使用されるシンボルの数を示し、
Ｎは、０≦ｄ＜Ｎである正の整数を示す、ステップと、
前記ラベル
【数５】
2015173509.tif 000073
を有する前記ＡＣＫチャネルで前記ＡＣＫ／ＮＡＣＫ情報を送信するステップとを含む、方法。
【請求項５】
前記
【数６】
2015173509.tif 000074
は、(Ｎ−ｄ−１)×ＮＣＣＥ，ｍ、ｄ×ＮＣＣＥ，ｍ＋１、およびｎＣＣＥを含む要素の合計である、請求項４に記載の方法。
【請求項６】
前記ダウンリンクサブフレーム内の前記ｎＣＣＥに対応する前記ＣＣＥは、前記ＰＤＣＣＨに占有される初期のＣＣＥである、請求項４に記載の方法。
【請求項７】
(Ｎ−ｄ−１)×ＮＣＣＥ，ｍ、ｄ×ＮＣＣＥ，ｍ＋１、およびｎＣＣＥに従って、Ｎ個のダウンリンクサブフレーム内のｄのラベルを有するダウンリンクサブフレームの制御チャネル要素(ＣＣＥ)の確認応答(ＡＣＫ)チャネルのラベル
【数７】
2015173509.tif 000075
を取得するように構成されるプロセッサであって、
ｍ∈｛０，１，．．．，ｍａｘ｛Ｍｉ｝−１｝およびＮＣＣＥ，ｍ≦ｎＣＣＥ≦ＮＣＣＥ，ｍ＋１−１であり、
前記ｎＣＣＥが前記ＣＣＥのラベルであり、
前記ＮＣＣＥ，ｍは、物理ダウンリンク制御チャネル(ＰＤＣＣＨ)の送信のために使用されるシンボルの数がｍに等しいときの前記ダウンリンクサブフレーム内の前記ＣＣＥのラベル数を示し、
前記ＮＣＣＥ，ｍ＋１は、前記ＰＤＣＣＨの送信のために使用されるシンボルの数がｍ＋１に等しいときの前記ダウンリンクサブフレーム内のＣＣＥのラベル数を示し、
前記ｍａｘ｛Ｍｉ｝は、前記ＰＤＣＣＨの送信のために使用されるシンボルの数を示し、
Ｎは、０≦ｄ＜Ｎである正の整数を示す、プロセッサと、
前記ラベル
【数８】
2015173509.tif 000076
を有する前記ＡＣＫチャネルで確認応答/否定の確認応答(ＡＣＫ／ＮＡＣＫ)情報を受信するように構成される受信機とを備える基地局。
【請求項８】
前記
【数９】
2015173509.tif 000077
は、(Ｎ−ｄ−１)×ＮＣＣＥ，ｍ、ｄ×ＮＣＣＥ，ｍ＋１、およびｎＣＣＥを含む要素の合計である、請求項７に記載の方法。
【請求項９】
前記ダウンリンクサブフレーム内の前記ｎＣＣＥに対応する前記ＣＣＥは、前記ＰＤＣＣＨに占有される初期のＣＣＥである、請求項７に記載の方法。
【請求項１０】
(Ｎ−ｄ−１)×ＮＣＣＥ，ｍ、ｄ×ＮＣＣＥ，ｍ＋１、およびｎＣＣＥに従って、Ｎ個のダウンリンクサブフレーム内のｄのラベルを有するダウンリンクサブフレームの制御チャネル要素(ＣＣＥ)の確認応答(ＡＣＫ)チャネルのラベル
【数１０】
2015173509.tif 000078
を取得するように構成されるプロセッサであって、
ｍ∈｛０，１，．．．，ｍａｘ｛Ｍｉ｝−１｝およびＮＣＣＥ，ｍ≦ｎＣＣＥ≦ＮＣＣＥ，ｍ＋１−１であり、
前記ｎＣＣＥが前記ＣＣＥのラベルであり、
前記ＮＣＣＥ，ｍは、物理ダウンリンク制御チャネル(ＰＤＣＣＨ)の送信のために使用されるシンボルの数がｍに等しいときの前記ダウンリンクサブフレーム内の前記ＣＣＥのラベル数を示し、
前記ＮＣＣＥ，ｍ＋１は、前記ＰＤＣＣＨの送信のために使用されるシンボルの数がｍ＋１に等しいときの前記ダウンリンクサブフレーム内のＣＣＥのラベル数を示し、
前記ｍａｘ｛Ｍｉ｝は、前記ＰＤＣＣＨの送信のために使用されるシンボルの数を示し、
Ｎは、０≦ｄ＜Ｎである正の整数を示す、プロセッサと、
前記ラベル
【数１１】
2015173509.tif 000079
を有する前記ＡＣＫチャネルで確認応答/否定の確認応答(ＡＣＫ／ＮＡＣＫ)情報を送信するように構成される送信機とを備えるユーザ装置。
【請求項１１】
前記
【数１２】
2015173509.tif 000080
は、(Ｎ−ｄ−１)×ＮＣＣＥ，ｍ、ｄ×ＮＣＣＥ，ｍ＋１、およびｎＣＣＥを含む要素の合計である、請求項１０に記載の方法。
【請求項１２】
前記ダウンリンクサブフレーム内の前記ｎＣＣＥに対応する前記ＣＣＥは、前記ＰＤＣＣＨに占有される初期のＣＣＥである、請求項１０に記載の方法。
【請求項１３】
記録されたプログラムを含むコンピュータ可読記録媒体であって、前記プログラムがコンピュータに請求項１から６のいずれか一項に記載の方法を実行させる、コンピュータ可読記録媒体。
【発明の詳細な説明】
【技術分野】
【０００１】
関連出願の相互参照
本出願は、２００８年４月２９日に出願された中国特許出願第２００８１００６７０４７．４号、表題「ＡＣＫチャネルをユーザに割り当てるための方法、装置、及びシステム」、並びに２００８年６月２日に出願された中国特許出願第２００８１０１０８４６６．８号、表題「ＡＣＫチャネルをユーザに割り当てるための方法、装置、及びシステム」、に対する優先権の恩恵を主張するものであり、双方の全体を本明細書に引用・参照する。 発明の分野
本発明は、移動通信の分野に関連し、特に、確認応答（ＡＣＫ）チャネルをユーザに割り当てるための技法に関する。
【背景技術】
【０００２】
既存の第３世代移動体通信システム標準化プロジェクト（３ＧＰＰ）の高度ユニバーサル地上無線接続（Ｅ−ＵＴＲＡ）システムにおいて、ネットワーク側設備、例えば、基地局（ＢＳ）は、対応する資源からダウンリンクデータを受信するようにユーザに指示するために、ダウンリンクデータ送信前にダウンリンク制御信号を配信する。ダウンリンクデータを受信すると、ユーザは、ダウンリンクデータを正常に受信した場合、肯定の確認応答（ＡＣＫ）をフィードバックし、そうでない場合、ユーザは、否定の確認応答（ＮＡＫ）をフィードバックする。ダウンリンクデータを受信するユーザ装置（ＵＥ）は、２つのモード、即ち、周波数分割二重（ＦＤＤ）モード及び時分割二重（ＴＤＤ）モードをサポートし得る。
【０００３】
ＴＤＤモードをサポートするＵＥの場合、ユーザのＡＣＫ／ＮＡＫフィードバック情報を搬送するためのチャネルは、ＡＣＫチャネルである。ＡＣＫチャネルは、システムにより予め決められた規則に従って、ネットワーク側で割り当てられる。ユーザは、所定の規則を既に取得しており、また、所定の規則に基づき、割り当て済みＡＣＫチャネルを検出し、そして、そのチャネルでフィードバック情報を搬送し、ネットワーク側設備にフィードバック情報を送る。
【０００４】
従来技術では、ＴＤＤモードのフレーム構造は、一般的に図１に示すようなものである。各無線フレームは、１０ｍｓ長であり、また、それぞれ５ｍｓ長のハーフフレームを２つ含む。各ハーフフレームには、それぞれ０．５ｍｓ長の８つのスロットと、３つの特別なフィールド、即ち、ＤｗＰＴＳ、ＧＰ、及びＵｐＰＴＳを含む。２つのスロット毎に１つのサブフレームが構成され、また、３つの特別なフィールド、即ち、ＤｗＰＴＳ、ＧＰ、及びＵｐＰＴＳは、特殊サブフレームを構成する。各サブフレームは、１ｍｓ長である。サブフレームの内、サブフレーム０及び５は、ダウンリンクサブフレームであり、サブフレーム２は、アップリンクサブフレームであり、特殊サブフレームにおけるＤｗＰＴＳは、ダウンリンクデータを送信することもあるが、データを送信しないこともあり、また、残りのサブフレームは、アップリンクサブフレーム又はダウンリンクサブフレームとして柔軟に割り当ててよい。
【０００５】
現在、７つのダウンリンク対アップリンク構成が、３ＧＰＰ＿Ｅ−ＵＴＲＡシステムにおいて定義されているが、これらには、５ｍｓダウンリンク対アップリンク切り替え点周期用の３つの構成、即ち、１：３、２：２、及び３：１、並びに、１０ｍｓダウンリンク対アップリンク切り替え点周期用の４つの構成、即ち、６：３、７：２、８：１、及び３：５が含まれる。１：３及び３：５の２つの比を除き、他の全ての比は、１つのアップリンクサブフレームにおいて、Ｎ個（Ｎ＞１、Ｎは整数）のダウンリンクサブフレームのＡＣＫ又はＮＡＫをフィードバックする必要がある。当業者に公知なように、Ｎ＞１は、ＴＤＤモードに対する固有の条件であり、この条件下における複数のダウンリンクサブフレームのＡＣＫ／ＮＡＫ割当て問題を解決する必要がある。また同時に、Ｎ＞１の条件下で提案された解決策は、ＴＤＤモードでのシステムの複雑さを低減するように、Ｎ＝１の条件にも対応すべきである。
【０００６】
物理ダウンリンク制御チャネル（ＰＤＣＣＨ）によって占有される時間周波数資源は、制御チャネル要素（ＣＣＥ）を単位として選択することによって測られるため、ＡＣＫ又はＮＡＫアップリンクフィードバック用のＡＣＫチャネルは、ＰＤＣＣＨによって占有された最小ラベルを有するＣＣＥごとに暗示的にマッピングされる。共通に用いられる暗示的マッピング形態は、ＡＣＫラベルへのＣＣＥラベルの１対１のマッピングである。
【０００７】
３ＧＰＰシステムでは、各ダウンリンクサブフレームの物理制御フォーマット指示チャネル（ＰＣＦＩＣＨ）で示されるＰＤＣＣＨによって占有されるシンボルの数ｎは、１、２、又は３であってよく、また、特殊サブフレームについては、ｎは、１又は２であってよい。各サブフレームのｎの値は、動的に変動する。ダウンリンクサブフレームにおいて、システム帯域幅及びパイロットアンテナ構成等の所定のシステムパラメータが一定であれば、ＰＤＣＣＨによって占有されるシンボルの数ｎが大きくなればなるほど、ダウンリンクサブフレームに存在するＣＣＥは多くなる。ｎが１、２、及び３の場合、ダウンリンクサブフレームのＣＣＥの数は、ＮＣＣＥ，１、ＮＣＣＥ，２、及び、ＮＣＣＥ，３で表され、また、ＮＣＣＥ，１＜ＮＣＣＥ，２＜ＮＣＣＥ，３、である。
【０００８】
従来技術によれば、１つのアップリンクサブフレームにおいてＮ個のダウンリンクサブフレームのＡＣＫ／ＮＡＫをフィードバックする必要がある場合、ネットワーク側は、次の規則に従って、ＡＣＫチャネルをユーザに割り当てる。
【０００９】
（１）ｎに異なる値を与え得ることを考慮して、ネットワーク側は、各ダウンリンクサブフレーム（特殊サブフレームを含む）のために、最大ＣＣＥ数に従って、ｆ（ＮＣＣＥ，３）個のＡＣＫチャネルを予約し、また、ＣＣＥとＡＣＫの１対１のマッピング方法を採用し、ここで、ｆ（ＮＣＣＥ，３）＝ＮＣＣＥ，３である。関数ｆは、ＣＣＥラベルとＡＣＫチャネルラベルとの間のマッピング規則を表す。Ｎ個のサブフレームの場合、合計Ｎ×ＮＣＣＥ，３個のＡＣＫチャネルが、予約される。
【００１０】
（２）Ｎ×ＮＣＣＥ，３個のＡＣＫチャネルは、Ｎ個の連続部分に分割され、また、各ダウンリンクサブフレームは、元のシーケンスに従って、１つの部分にマッピングされ、そして、各部分は、ＮＣＣＥ，３のサイズを有する。例えば、１つのアップリンクサブフレームにおいて、２つのダウンリンクサブフレームのＡＣＫ／ＮＡＫをフィードバックする必要がある場合、対応するマッピング形態は、図２に示すようなものであり、この場合、ダウンリンクサブフレーム０及び１の最大ＰＣＦＩＣＨ値は、双方共３である。
【００１１】
本発明の実施形態を実現する際、本発明者（ら）は、ＡＣＫチャネルが、上記の規則によってユーザに割り当てられる場合、未使用ＡＣＫチャネルを効果的に解放して物理アップリンク共有チャネル（ＰＵＳＣＨ）送信用の資源ブロック（ＲＢ）を形成できないことを見出した。
【発明の概要】
【課題を解決するための手段】
【００１２】
本発明の一実施形態において提供されＡＣＫチャネルをユーザに割り当てるための方法は、１つのアップリンクサブフレームにおいてＮ個のダウンリンクサブフレームのＡＣＫをフィードバックするために用いられる。本方法には、以下の段階が含まれる。
【００１３】
まず、予約されたＡＣＫチャネルは、Ｎ個のブロックに分割され、各ダウンリンクサブフレームには、マッピングラベルｄが割り当てられ（各マッピングラベルは、１つのブロックに対応する）、また、各ブロックは、複数のサブブロックに分割され、更に、各サブブロックには、サブブロックラベルｍが割り当てられる。
【００１４】
そして、ＡＣＫチャネルは、最初にマッピングラベルｄの昇順に、次いでサブブロックラベルｍの昇順に、ダウンリンクサブフレームに割り当てられる。ここで、Ｎは、正の整数である。
【００１５】
本発明の一実施形態において提供されＡＣＫチャネルをユーザに割り当てるための方法は、１つのアップリンクサブフレームにおいてＮ個のダウンリンクサブフレームのＡＣＫをフィードバックするために用いられる。本方法には、以下の段階が含まれる。
【００１６】
ＡＣＫチャネルは、以下の式を用いて、最初にマッピングラベルｄの昇順に、次いでサブブロックラベルｍの昇順に、ダウンリンクサブフレームに割り当てられる。
【００１７】
【数１】
2015173509.tif 000003
【００１８】
上式において、ｎＣＣＥは、サブフレームにおけるＣＣＥのラベルであり、
【数２】
2015173509.tif 000004
は、マッピングラベルｄを有するサブフレームにおいて、ラベルｎＣＣＥを有するＣＣＥに割り当てられたＡＣＫチャネルのラベルであり、ＮＣＣＥ，ｍは、ｎがｍに等しい時、ダウンリンクサブフレームにおけるＣＣＥの数を表し、また、Ｋ及びＮは、正の整数である。
【００１９】
本発明の一実施形態において提供されＡＣＫチャネルをユーザに割り当てるための方法は、１つのアップリンクサブフレームにおいてＮ個のダウンリンクサブフレームのＡＣＫをフィードバックするために用いられる。本方法では、予約されたＡＣＫチャネルが、Ｎ個のブロックに分割され、各ダウンリンクサブフレームは、予め設定されたシーケンスに従って１つのブロックに対応し、各ブロックは、複数のサブブロックに分割され、また、ＡＣＫチャネルは、同じサブフレーム内の異なるＣＣＥセットをそれぞれ異なるサブブロックにマッピングする形態でダウンリンクサブフレームに割り当てられる。
【００２０】
本発明の一実施形態において提供されＡＣＫチャネルをユーザに割り当てるための方法は、１つのアップリンクサブフレームにおいて複数のダウンリンクサブフレームのＡＣＫをフィードバックするために用いられる。本方法によれば、予約された
【数３】
2015173509.tif 000005
個のＡＣＫチャネル、又は
【数４】
2015173509.tif 000006
個のＡＣＫチャネルにおいて、ＡＣＫチャネルは、各ダウンリンクサブフレームに連続的にマッピングされる。
【００２１】
本発明の一実施形態において提供されＡＣＫチャネルをユーザに割り当てるための方法は、１つのアップリンクサブフレームにおいて複数のダウンリンクサブフレームのＡＣＫをフィードバックするために用いられる。本方法によれば、予約されたＡＣＫチャネルは、Ｎ個のブロックに分割され、各ダウンリンクサブフレームには、予め設定された規則に従ってマッピングラベルｄが割り当てられ、ここで、各マッピングラベルは、１つのブロックに対応し、各ブロックは、複数のサブブロックに分割され、また、ＡＣＫチャネルは、最初にマッピングラベルｄの昇順に、次いでサブブロックラベルｍの昇順に、Ｋ個の連続したＣＣＥを１つのＡＣＫチャネルにマッピングする形態において、ダウンリンクサブフレームに割り当てられる。ここで、Ｋは、１以上の整数である。
【００２２】
本発明の一実施形態において提供されＡＣＫチャネルをユーザに割り当てるための方法は、１つのアップリンクサブフレームにおいて複数のダウンリンクサブフレームのＡＣＫをフィードバックするために用いられる。本方法によれば、予約されたＡＣＫチャネルは、Ｎ個のブロックに分割され、複数のダウンリンクサブフレームには、予め設定された規則に従って、同じマッピングラベルｄが割り当てられ（各マッピングラベルは、１つのブロックに対応する）、各ブロックは、複数のサブブロックに分割され、また、ＡＣＫチャネルは、最初にマッピングラベルｄの昇順に、次いでサブブロックラベルｍの昇順に、ダウンリンクサブフレームに割り当てられる。
【００２３】
本発明の一実施形態において提供されＡＣＫチャネルをユーザに割り当てるための装置には、予約ユニット及び割当てユニットが含まれる。予約ユニットは、Ｎ個のダウンリンクサブフレーム用のＡＣＫチャネルを予約するように構成される。割当てユニットは、予約されたＡＣＫチャネルをＮ個のブロックに分割し、予め設定された規則に従って、各ダウンリンクサブフレームにマッピングラベルｄを割り当て（各マッピングラベルは、１つのブロックに対応する）、各ブロックを複数のサブブロックに分割し、そして、最初にマッピングラベルｄの昇順に、次いでサブブロックラベルｍの昇順に、ＡＣＫチャネルをダウンリンクサブフレームに割り当てるように構成される。
【００２４】
本発明の一実施形態において提供されＡＣＫチャネルをユーザに割り当てるための装置には、予約ユニット及び割当てユニットが含まれる。予約ユニットは、Ｎ個のダウンリンクサブフレームのために、
【数５】
2015173509.tif 000007
個のＡＣＫチャネル、又は
【数６】
2015173509.tif 000008
個のＡＣＫチャネルを予約するように構成される。割当てユニットは、予約されたＡＣＫチャネルにおける各サブフレームにＡＣＫチャネルを連続的にマッピングする形態でダウンリンクサブフレームにＡＣＫチャネルを割り当てるように構成される。
【００２５】
本発明の一実施形態において提供される通信システムには、ＵＥ及び上記装置のいずれかが含まれる。装置は、ネットワーク側に配置され、また、ＵＥにＡＣＫチャネルを割り当てるように構成される。ＵＥは、割り当てられたＡＣＫチャネル上で、Ｎ個のダウンリンクサブフレームのＡＣＫ情報をネットワーク側にフィードバックする。
【００２６】
本発明の一実施形態において提供される通信システムには、上記装置のいずれかが含まれる。
【００２７】
本発明の実施形態によれば、未使用ＡＣＫチャネル資源をブロック全体として解放して、他のチャネル上での送信、例えばＰＵＳＣＨ送信のためのＲＢをより多く形成するために、予約されたＡＣＫチャネルが、ダウンリンクサブフレームに従ってブロックに分割され、各ブロックは、複数のサブブロックに分割され、また、同じサブフレーム内のＣＣＥセットは、それぞれ異なるサブブロックにマッピングされる。他の選択肢として、未使用ＡＣＫチャネル資源をブロック全体として解放し、これによってＡＣＫチャネル資源を節約するために、ＡＣＫチャネルは、予約されたＡＣＫチャネルにおける各サブフレームに連続的にマッピングされる。他の選択肢として、資源予約のオーバーヘッドを低減し、これによって、ＡＣＫチャネル資源を節約するために、複数の連続したＣＣＥを１つのＡＣＫチャネルにマッピングするか又は同じマッピングラベルを複数のダウンリンクサブフレームに割り当てる。
以下、添付図面を参照して、本発明について詳細に述べる。
【図面の簡単な説明】
【００２８】
【図１】従来技術におけるＴＤＤモードのフレーム構造の概略図である。
【図２】従来技術におけるマッピング形態の概略図である。
【図３】本発明の一実施形態による方法の概略フローチャートである。
【図４】本発明の一実施形態によるマッピング形態の概略図である。
【図５】本発明の一実施形態による他のマッピング形態の概略図である。
【図６】本発明の一実施形態による更に他のマッピング形態の概略図である。
【図７】本発明の一実施形態による装置の概略構造図である。
【図８】本発明の一実施形態によるシステムの概略構造図である。
【発明を実施するための形態】
【００２９】
本発明の実施形態を実現する過程において、本発明者（ら）は、ＡＣＫチャネルが従来技術に従ってユーザに割り当てられる場合、未使用ＡＣＫチャネルは、効率的に解放されず、ＰＵＳＣＨ送信用のＲＢを形成し得ないことを見出した。例えば、２つのダウンリンクサブフレームのＡＣＫ／ＮＡＫが、１つのアップリンクサブフレームにおいてフィードバックされ、サブフレーム０のＰＣＦＩＣＨによって示されるｎの実際値が１である場合、サブフレーム０にマッピングされる０〜ＮＣＣＥ，３−１のラベルを備えたＡＣＫチャネルの間で実際に用い得るＡＣＫチャネルのラベルは、０〜ＮＣＣＥ，1−１の範囲内であればよく、また、ＮＣＣＥ，1〜ＮＣＣＥ，３−１のラベルを備えた他のＡＣＫチャネルは、暗示的マッピングによって占有できない。その結果、そのような未使用ＡＣＫチャネルによって占有された資源は、ブロック全体として解放できず、即ち、遊休資源を一旦解放してＲＢを形成することは、困難である。
【００３０】
本発明の一実施形態において、図３に示すように、１つのアップリンクサブフレームにおいてＮ個のダウンリンクサブフレームのＡＣＫ／ＮＡＫをフィードバックする必要がある場合、ネットワーク側は、以下の規則に基づき、ＡＣＫチャネルをユーザに割り当てる。
【００３１】
ステップ１０１において、ＡＣＫチャネルは、各ダウンリンクサブフレーム用に予約される。各サブフレームに対するｎの値が、動的に変動することを考慮すると、ＮＣＣＥ，ｍａｘ｛Ｍｉ｝個のＡＣＫチャネルが、各サブフレーム（特殊サブフレームを含む）用に予約され、これにより、合計
【数７】
2015173509.tif 000009
個のチャネルが、予約される。ここで、Ｍｉは、Ｎ個のダウンリンクサブフレームの内、ラベルｉを有するダウンリンクサブフレーム用のｎの可能な最大値を表し、ここで、ｉ＝０、１、．．．、Ｎ−１であり、ｍａｘ｛Ｍｉ｝は、Ｍｉの最大値を表し、また、ＮＣＣＥ，ｍａｘ｛Ｍｉ｝は、ｎがｍａｘ｛Ｍｉ｝に等しい場合、ダウンリンクサブフレーム内のＣＣＥの数を表す。
【００３２】
例えば、現在の３ＧＰＰ＿Ｅ−ＵＴＲＡシステムでは、特殊サブフレームの場合、ｎの最大値は２、即ち、Ｍｉ＝２であり、また、他のサブフレームの場合、ｎの最大値は３、即ち、Ｍｉ＝３であり、これにより、ｍａｘ｛Ｍｉ｝は、３である。各サブフレーム用に予約されるＡＣＫチャネルの数は、ＮＣＣＥ，３である。
【００３３】
ステップ１０２において、Ｎ個のサブフレームのＣＣＥは、予約されたＡＣＫチャネルにマッピングされる。具体的には、予約されたＡＣＫチャネルは、Ｎ個のブロックに分割され、各ブロックは、ｍａｘ｛Ｍｉ｝個のサブブロックに分割される。Ｎ個のダウンリンクサブフレームの場合、各サブフレームは、予め設定されたシーケンスの１つのブロックに対応し、また、同じサブフレーム内において、ラベル｛０、１、．．．、ＮＣＣＥ，1−１｝、｛ＮＣＣＥ，1、ＮＣＣＥ，1＋１、．．．、ＮＣＣＥ，２−１｝、．．．、｛ＮＣＣＥ，ｍａｘ｛Ｍｉ｝−１、ＮＣＣＥ，ｍａｘ｛Ｍｉ｝−１＋１、．．．、ＮＣＣＥ，ｍａｘ｛Ｍｉ｝−１｝を有するＣＣＥセットは、異なるサブブロックにそれぞれマッピングされる。
【００３４】
ステップ１０２における特定のマッピングプロセスについて、ｍａｘ｛Ｍｉ｝＝３である３ＧＰＰ＿Ｅ−ＵＴＲＡシステムを例として以下に説明する。ｍａｘ｛Ｍｉ｝＝３、即ち、各ブロックは、３つのサブブロックに分割される。同じサブフレーム内において、ラベル｛０、１、．．．、ＮＣＣＥ，1−１｝、｛ＮＣＣＥ，1、ＮＣＣＥ，1＋１、．．．、（ＮＣＣＥ，２−１）｝、｛ＮＣＣＥ，２、（ＮＣＣＥ，２＋１）、．．．、（ＮＣＣＥ，３−１）｝を有するＣＣＥセットは、異なるサブブロックにそれぞれマッピングされる。
【００３５】
本マッピングプロセスにおいて、Ｎ個のダウンリンクサブフレームの内、ラベルｉ（０≦ｉ＜Ｎ）を有するサブフレームには、そのサブフレームが、マッピングプロセス中、ラベルｄを有するサブフレームの位置に置かれ、また、０≦ｄ＜Ｎであることを表すように、予め設定された規則に従って、固有のマッピングラベルｄが割り当てられる。予め設定された規則は、集合ｉ＝｛０、１、．．．Ｎ−１｝から集合ｄ＝｛０、１、．．．、Ｎ−１｝への１対１の任意のマッピング、例えば、ｄ＝ｉや、特殊サブフレームが最後の位置に置かれるマッピング形態や、又は、ｎの最大の実際値を有するサブフレームが先頭位置に置かれるマッピング形態、特に、ｎの最大の実際値からｎの最小の実際値までのシーケンスにおけるマッピング形態であってよい。ＮＣＣＥ，ｍは、ＰＣＦＩＣＨ値がｍ（０≦ｍ≦ｍａｘ｛Ｍｉ｝−１）の場合、ダウンリンクサブフレームにおけるＣＣＥの数を表し、また、ＮＣＣＥ，０＝０と定義される。マッピングプロセス後割り当てられたＡＣＫチャネルのラベルは、
【数８】
2015173509.tif 000010
で表され、また、Ｎ個のダウンリンクサブフレーム用に予約された（Ｎ×ＮＣＣＥ，３）個のＡＣＫチャネルは、それぞれ０〜Ｎ＊ＮＣＣＥ，３−１と表記される。
【００３６】
本実施形態において、ＢＳは、Ｎ個のダウンリンクサブフレームの内、ラベルｄを有するサブフレーム上で或るＵＥをスケジュール化し、また、ＵＥのダウンリンクスケジューリング割当て許可命令を搬送するＰＤＣＣＨによって占有された初期のＣＣＥにラベルｎＣＣＥ（０≦ｎＣＣＥ＜ＮＣＣＥ，３）を割り当てる。従って、ＢＳは、以下のプロセスに基づき、初期のＣＣＥにＡＣＫチャネルラベル
【数９】
2015173509.tif 000011
を割り当てる。即ち、最初に、ｎＣＣＥの値に基づき、マッピングされたＡＣＫチャネルは、ラベルｄを有するサブフレームのラベルｍを備えたサブブロックに属すると判断され、ここで、判断プロセスには、
【数１０】
2015173509.tif 000012
から、式（１）
【数１１】
2015173509.tif 000013
を満足するように、ｍの値を選択する段階が含まれ、そして、上記ステップで得られたｍの値は、式（２）
【数１２】
2015173509.tif 000014
に代入され、割り当てられたＡＣＫチャネルラベルを計算する。
【００３７】
式（２）は、更に、以下のように説明される。ｎＣＣＥに対応するチャネルが、ラベルｄを有するサブフレームにおけるラベルｍ（０≦ｍ≦ｍａｘ｛Ｍｉ｝−１、例えば、ｍ＝０、１、又は２）を備えたサブブロックに配置される場合、全Ｎ個のサブフレームの初めのｍ個のサブブロック（即ち、ラベル０乃至（ｍ−１）を有するサブブロック）は、その前に置かれ、また、初めのｍ個のサブブロックは、Ｎ×ＮＣＣＥ，ｍ個のＡＣＫチャネルに対応し、初めのｄ個のサブフレーム、即ち、Ｎ個のサブフレームの内、ラベル０乃至（ｄ−１）を有するサブフレームでは、ラベルｍを有するサブブロックも、その前に置かれ、更に、ラベルｍを有するサブブロックは、ｄ×（ＮＣＣＥ，ｍ＋１ーＮＣＣＥ，ｍ）個のＡＣＫチャネルに対応し、そして、最後に、ラベルｄを有するサブフレームのラベルｍを備えたサブブロックにおいて、初めの（ｎＣＣＥ−ＮＣＣＥ，ｍ）個のＣＣＥに対応する（ｎＣＣＥ−ＮＣＣＥ，ｍ）個のＡＣＫチャネルも、その前に置かれる。式（２）は、上記の３項目を合計することによって得られる。
【００３８】
ＵＥは、ラベルｄを有するサブフレーム上でＵＥのダウンリンクスケジューリング割当て許可命令を搬送するＰＤＣＣＨを検出し、そして、ＰＤＣＣＨによって占有される初期ＣＣＥのラベルが、ｎＣＣＥ（０≦ｎＣＣＥ＜ＮＣＣＥ，３）であることが分かる。ＵＥは、次のプロセスによって、初期ＣＣＥに割り当てられたＡＣＫチャネルのラベル
【数１３】
2015173509.tif 000015
が分かる。即ち、まず、ｎＣＣＥの値に基づき、マッピングされたＡＣＫチャネルは、ラベルｄを有するサブフレームにおいて、ラベルｍを有するサブブロックに属すると判断され、ここで、判断プロセスには、
【数１４】
2015173509.tif 000016
から、式（１）
【数１５】
2015173509.tif 000017
を満足するように、ｍの値を選択する段階が含まれ、そして、式（１）によって得られたｍの値は、式（２）
【数１６】
2015173509.tif 000018
に代入され、割り当てられたＡＣＫチャネルラベルを計算する。
【００３９】
ＵＥは、ラベル
【数１７】
2015173509.tif 000019
を有するＡＣＫチャネル上でＡＣＫ／ＮＡＫ情報をフィードバックし、また、ＢＳは、フィードバックされたＡＣＫ／ＮＡＫ情報を、ラベル
【数１８】
2015173509.tif 000020
を有するＡＣＫチャネル上で検出する。ＢＳが、Ｎ個のサブフレームの内、複数のサブフレーム上にＵＥをスケジュール化している場合、ＢＳは、上記マッピング形態に基づき、ＵＥに複数のＡＣＫチャネルラベルを割り当て、また、ＵＥは、一般的に、最後に検出されたＰＤＣＣＨの初期のＣＣＥに対応するＡＣＫチャネルを採用して、ＡＣＫ／ＮＡＫ情報をフィードバックする。
【００４０】
３ＧＰＰ＿Ｅ−ＵＴＲＡシステムでは、Ｌ個のＡＣＫチャネルは、１つのＲＢ上で符号分割多重化され、また一般的に、短期接頭辞サブフレーム構造の場合、Ｌ＝１８である。ＲＢ上で符号分割多重化されたＬ個のＡＣＫチャネルが、利用可能でない場合にのみ、ユーザデータは、ＲＢからスケジュール化される。従って、「微調整」のために、調整要素もサブブロックの分割に導入し得る。即ち、サブフレーム内におけるラベル｛０、１、．．．、ＮＣＣＥ，1−１−△１｝、｛ＮＣＣＥ，1−△１、ＮＣＣＥ，1−△１＋１、．．．、ＮＣＣＥ，２−１−△２｝、．．．、｛ＮＣＣＥ，ｍａｘ｛Ｍｉ｝−１−△ｍａｘ｛Ｍｉ｝−１、ＮＣＣＥ，ｍａｘ｛Ｍｉ｝−１−△ｍａｘ｛Ｍｉ｝−１＋１、．．．、ＮＣＣＥ，ｍａｘ｛Ｍｉ｝−１｝を有するＣＣＥセットは、異なるサブブロックにそれぞれマッピングされる。ここで、△１、△２、．．．、△ｍａｘ｛Ｍｉ｝−１は、調整要素であり、その値は、△ｍａｘ｛Ｍｉ｝−１、．．．、△２、及び△１のシーケンスで決定されるが、一般的に、３以下である。調整要素を導入する目的は、同じサブフレームの異なるＣＣＥセットにおけるＡＣＫチャネル数が、Ｌの整数倍に近い場合、１つ又は複数の完全なＲＢを形成することである。上記の説明、「各サブフレームは、予め設定されたシーケンスの１つのブロックに対応する」における「予め設定されたシーケンス」とは、Ｎ個のダウンリンクサブフレームの元のシーケンスや、特殊サブフレームが最後の位置に置かれるシーケンスや、ｎの最大の実際値を有するサブフレームが、先頭位置に置かれるシーケンス（複数のサブフレームが同じｎの値を有する場合、その複数のサブフレームは、ランダムな順番に先頭位置に配置し得る）や、より多くの未使用ＡＣＫチャネルの解放をブロック全体として円滑化するいずれか他のシーケンスであってよい。
【００４１】
各サブフレームが、Ｎ個のサブフレームの元のシーケンスに従って、１つのブロックに対応する例は、図４に示すようなものである。
【００４２】
図４に示す例においては、１つのアップリンクサブフレームにおいて２つのダウンリンクサブフレームのＡＣＫ／ＮＡＫをフィードバックする必要があり、また、２つのダウンリンクサブフレーム用のＭｉは、３である。ダウンリンクサブフレーム０のＰＣＦＩＣＨによって示されるｎの実際値は、３であり、また、ダウンリンクサブフレーム１のＰＣＦＩＣＨによって示されるｎの実際値は、２である。ダウンリンクサブフレーム０及び１の各々は、元のシーケンス、即ち、サブフレーム０がサブフレーム１に先立つシーケンスで順次１つのブロックを占有する。更に、サブフレーム０及び１において、サブブロックは、ラベルに従って順次占有される。図４に示すように、｛（ＮＣＣＥ，３＋ＮＣＣＥ，２）〜（２ＮＣＣＥ，３−１）｝の範囲のラベルを有するＡＣＫチャネル資源は、解放し得る。
【００４３】
一例において、各サブフレームは、特殊サブフレームが最後の位置に置かれるシーケンスにおいて、１つのブロックに対応する。既存の３ＧＰＰシステムにおいて、特殊サブフレームに対するｎの最大値は、２であるため、特殊サブフレームが最後の位置に置かれる場合、ブロック全体として解放される未使用ＡＣＫチャネル資源は、多くなり得る。
【００４４】
ｎの最大の実際値を有するサブフレームを先頭位置に置くシーケンスにおいて、各サブフレームが、１つのブロックに対応する例は、図５に示すようなものである。
【００４５】
図５に示す例では、１つのアップリンクサブフレームにおいてダウンリンクサブフレーム０及び１のＡＣＫ／ＮＡＫをフィードバックする必要があり、また、２つのダウンリンクサブフレームに対するＭｉは、３である。ダウンリンクサブフレーム０のＰＣＦＩＣＨによって示されるｎの実際値は、２であり、ダウンリンクサブフレーム１のＰＣＦＩＣＨによって示されるｎの実際値は、３である。ダウンリンクサブフレーム１に対するｎの値の方がかなり大きいため、ダウンリンクサブフレーム１は、先頭位置に置かれる。図５に示すように、｛（ＮＣＣＥ，３＋ＮＣＣＥ，２）〜（２ＮＣＣＥ，３−１）｝の範囲のラベルを有するＡＣＫチャネル資源は、解放し得る。３つ以上のダウンリンクサブフレームのＡＣＫ／ＮＡＫをフィードバックする必要がある場合、各ブロックは、好適には、より多くの未使用ＡＣＫ資源をブロック全体として解放するように、サブフレームに対するｎの最大の実際値からｎの最小の実際値までの順番で、サブフレームに割り当て得る。
【００４６】
他の実施形態では、１つのアップリンクサブフレームにおいてＮ個のダウンリンクサブフレームのＡＣＫ／ＮＡＫをフィードバックする必要があり、また、ネットワーク側は、次の規則によって、ＡＣＫチャネルをユーザに割り当てる。
【００４７】
ステップａにおいて、ＮＣＣＥ，Ｍｉ個のＡＣＫチャネルが、各ダウンリンクサブフレーム用に予約され、そして、合計
【数１９】
2015173509.tif 000021
個のＡＣＫチャネルが、予約される。
【００４８】
ステップ１０１と異なり、ステップａでは、予約されるＡＣＫチャネル資源を低減し、これにより、システムのチャネル資源を節約するように、各サブフレームに対してＮＣＣＥ，ｍａｘ｛Ｍｉ｝個のＡＣＫチャネルを予約するのではなく、各ダウンリンクサブフレームに対し、その異なるＭｉ値に従って、異なる数のＡＣＫチャネルを予約する。
【００４９】
例えば、特殊サブフレームのＭｉが２であり、また、他のダウンリンクサブフレームのＭｉが３である場合、ＮＣＣＥ，２個のＡＣＫチャネルが、特殊サブフレームのために予約され、また、ＮＣＣＥ，３個のチャネルが、他の各ダウンリンクサブフレーム用に予約される。特殊サブフレームのために、ＮＣＣＥ，３個ではなくＮＣＣＥ，２個のＡＣＫチャネルを予約するため、予約されるＡＣＫチャネル資源は、減少する。
【００５０】
ステップｂにおいて、Ｎ個のサブフレームが、予約されたＡＣＫチャネルにマッピングされる。具体的には、予約されたＡＣＫチャネルは、Ｎ個のブロックに分割され、また、各ブロックは、Ｍｉ個のサブブロックに分割される。各サブフレームは、予め設定されたシーケンスの１つのブロックに対応する。異なるブロックに属するサブブロックは、交互配置法(interleaving manner)で構成される。同じサブフレーム内におけるラベル｛０、１、．．．、ＮＣＣＥ，1−１｝、｛ＮＣＣＥ，1、ＮＣＣＥ，1＋１、．．．、（ＮＣＣＥ，２−１）｝、．．．、｛ＮＣＣＥ，Ｍｉ−１、ＮＣＣＥ，Ｍｉ−１＋１、．．．、ＮＣＣＥ，Ｍｉ−１｝を有するＣＣＥセットは、異なるサブブロックにそれぞれマッピングされる。例えば、Ｍｉが２の特殊サブフレームの場合、対応するブロックは、２つのサブブロックに分割され、また、サブフレーム内におけるラベル｛０、１、．．．、ＮＣＣＥ，1−１｝、｛ＮＣＣＥ，1、ＮＣＣＥ，1＋１、．．．、（ＮＣＣＥ，２−１）｝を有するＣＣＥセットは、異なるサブブロックにそれぞれマッピングされる。Ｍｉが３のサブフレームの場合、各ブロックは、３つのサブブロックに分割され、異なるブロックに属するサブブロックは、交互配置法(interleaving manner)で構成され、そして、同じサブフレーム内におけるラベル｛０、１、．．．、ＮＣＣＥ，1−１｝、｛ＮＣＣＥ，1、ＮＣＣＥ，1＋１、．．．、（ＮＣＣＥ，２−１）｝、｛ＮＣＣＥ，２、（ＮＣＣＥ，２＋１）、．．．、（ＮＣＣＥ，３−１）｝を有するＣＣＥセットは、異なるサブブロックにそれぞれマッピングされる。
【００５１】
３ＧＰＰ＿Ｅ−ＵＴＲＡシステムでは、１つの特殊サブフレームがＮ個のサブフレームに存在する場合、特殊サブフレームは、好適には、最後の位置に置かれる。即ち、マッピングラベルｄが、ラベルｉを有するサブフレームに割り当てられる場合、特殊サブフレームには、常に、ｄ＝Ｎ−１が割り当てられる。従って、ステップｂにおいて、ＢＳ及びＵＥは、次のプロセスに基づき、ラベルｄを有するサブフレームにおけるラベルｎＣＣＥを備えたＣＣＥにマッピングされるＡＣＫチャネルラベル
【数２０】
2015173509.tif 000022
を求める。即ち、まず、ｎＣＣＥの値に基づき、マッピングされたＡＣＫチャネルは、ラベルｄを有するサブフレームにおけるラベルｍを備えたサブブロックに属すると判断され、本判断プロセスには、
【数２１】
2015173509.tif 000023
から、式（１）
【数２２】
2015173509.tif 000024
を満足するように、ｍの値を選択する段階が含まれ、そして、上記ステップで得られたｍの値は、式（２）
【数２３】
2015173509.tif 000025
に代入され、割り当てられたＡＣＫチャネルラベルを計算する。留意すべきことは、
【数２４】
2015173509.tif 000026
であるが、特殊サブフレームに対しては、２つのサブブロックしか存在しないため、式（１）の上記判断プロセスにおいて、ｍが実際に２の値をとることは出来ず、他の選択肢として、式（１）の判断プロセスにおいて、特殊サブフレームに対しては
【数２５】
2015173509.tif 000027
とも定義し得ることである。
【００５２】
更に、調整要素をサブブロックの分割に導入して「微調整」を行い得る。即ち、サブフレーム内において、ラベル｛０、１、．．．、ＮＣＣＥ，1−１−△１｝、｛ＮＣＣＥ，1−△１、ＮＣＣＥ，1−△１＋１、．．．、ＮＣＣＥ，２−１−△２｝、．．．、｛ＮＣＣＥ，Ｍｉ−１−△Ｍｉ−１、ＮＣＣＥ，Ｍｉ−１−△Ｍｉ−１＋１、．．．、ＮＣＣＥ，Ｍｉ−１｝を有するＣＣＥセットが、異なるサブブロックにそれぞれマッピングされる。ここで、△１、△２、．．．、及び△Ｍｉ−１は、調整要素であり、また、その値は、一連のΔＭｉ−１、．．．、△２、及び△１で求められるが、一般的に、３以下である。
【００５３】
予め設定されたシーケンスは、Ｎ個のダウンリンクサブフレームの元のシーケンスや、特殊サブフレームが最後の位置に置かれるシーケンスや、ｎの最大の実際値を有するサブフレームが先頭位置に置かれるシーケンスであってよく、具体的には、上記の実施形態を参照し得る。
【００５４】
更に他の実施形態では、１つのアップリンクサブフレームにおいてＮ個のダウンリンクサブフレームのＡＣＫ／ＮＡＫをフィードバックする必要があり、また、ネットワーク側は、次の規則に基づき、ＡＣＫチャネルをユーザに割り当てる。
【００５５】
ステップａでは、ＡＣＫチャネルが、各ダウンリンクサブフレーム用に予約される。ＮＣＣＥ，Ｍｉ個又はＮＣＣＥ，ｍａｘ｛Ｍｉ｝個のＡＣＫチャネルが、各サブフレーム用に予約される。即ち、合計
【数２６】
2015173509.tif 000028
個のチャネル、又は
【数２７】
2015173509.tif 000029
個のチャネルが、予約される。
【００５６】
ステップｂでは、Ｎ個のサブフレームが、予約されたＡＣＫチャネルにマッピングされる。具体的には、ＡＣＫチャネルは、各サブフレームに連続的にマッピングされる。Ｎ個のサブフレームは、ランダムなシーケンスで構成し得る。例は、図６に示すようなものである。本例では、１つのアップリンクサブフレームにおいて２つのダウンリンクサブフレームのＡＣＫ／ＮＡＫをフィードバックする必要があり、また、２つのダウンリンクサブフレームのＭｉは、３である。ダウンリンクサブフレーム０のＰＣＦＩＣＨによって示されたｎの実際値は、２であり、また、ダウンリンクサブフレーム１のＰＣＦＩＣＨによって示されたｎの実際値は、３である。サブフレーム０がＡＣＫチャネルにマッピングされた後、サブフレーム１は、残りのＡＣＫチャネルにマッピングされる。連続マッピング形態は、各サブフレームがマッピングされたＡＣＫチャネル間に未使用ＡＣＫチャネルが存在しないことを保証することができ、これによって、より多くの未使用ＡＣＫチャネルを、ブロック全体として解放することが可能になる。図６に示す例において、｛（ＮＣＣＥ，３＋ＮＣＣＥ，２）〜（２ＮＣＣＥ，３−１）｝の範囲のラベルを有するＡＣＫチャネル資源を解放し得る。
【００５７】
｛（ＮＣＣＥ，３＋ＮＣＣＥ，２）〜（２ＮＣＣＥ，３−１）｝の範囲のラベルを有する解放されたＡＣＫチャネルは、ＰＵＳＣＨ送信のための１つ又は複数の完全なＲＢを形成し得る。
【表１】
2015173509.tif 000030
【００５８】
表１に示すように、システム帯域幅が２０ＭＨｚであり、また、４本のアンテナが構成されている場合、ｎは、１、２、及び３の値をとり、そして、ＮＣＣＥ，1＝１７、ＮＣＣＥ，２＝３９、及びＮＣＣＥ，３＝７３である。１１２乃至１４５の範囲のラベルを有するＡＣＫチャネルは、解放できる。即ち、３４個のＡＣＫチャネルを解放し得る。１つのＲＢが、１８個のＡＣＫチャネルの多重化さえできれば、少なくとも１つのＲＢをＰＵＳＣＨ送信のために解放し得る。
【００５９】
上記例では、３４個のＡＣＫチャネルを解放し得る。しかしながら、Ｌが１８の値をとるため、解放される残りの１６個のＡＣＫチャネルは、ＰＵＳＣＨ送信のための完全なＲＢを形成することができない。この場合、「微調整」を実施し、ラベル｛ＮＣＣＥ，２−△２、ＮＣＣＥ，２−△２＋１、．．．、ＮＣＣＥ，３−１｝を有するＣＣＥセットを最後のサブブロックにマッピングしてよく、ここで、△２は、２の値をとる。このように、合計３６個のＡＣＫチャネルを解放することができ、これにより、ＰＵＳＣＨ送信のための２つの完全なＲＢを形成し得る。
【００６０】
他の例では、「微調整」時、如何にして△１及び△２の値を決定するか示す。表１に示すように、システム帯域幅が１０ＭＨｚであり、また、１本又は２本のアンテナが構成されている場合、ｎは、１、２、及び３の値をとり、また、ＮＣＣＥ，1＝８、ＮＣＣＥ，２＝２５、及びＮＣＣＥ，３＝４１である。１６（＝４１−２５）及び１７（＝２５−８）は、Ｌ（＝１８）に近いため、｛ＮＣＣＥ，２−△２、ＮＣＣＥ，２−△２＋１、．．．、ＮＣＣＥ，３−１｝及び｛ＮＣＣＥ，1−△１、ＮＣＣＥ，1−△１＋１、．．．、ＮＣＣＥ，２−１−△２｝双方が、完全なＲＢを形成できるように、まず△２の値を２に設定し、そして、△１の値を３に設定する。
【００６１】
上記実施形態では、サブフレームのＣＣＥとＡＣＫチャネルとの間には、１対１のマッピング関係があり、また、互いに重なり合わないＡＣＫチャネルのセットが、各サブフレームのために予約される。１つのアップリンクサブフレームにおいてＮ個のダウンリンクサブフレームをフィードバックするためのＡＣＫチャネル資源を予約する必要がある場合、特に、Ｎが大きな値をとる場合は、多数の資源を予約してよい。例えば、３ＧＰＰ＿Ｅ−ＵＴＲＡシステムの場合、ダウンリンク対アップリンク比が９：１であり、また、Ｎ＝９である時、各サブフレームの各ＣＣＥ用に、１つのＡＣＫチャネルが予約され、結果的にオーバーヘッドが大きくなる。
【００６２】
予約されたＡＣＫチャネル資源の大きなオーバーヘッドに関する問題を解決するために
、次の方法を採用し得る。
【００６３】
方法１では、複数のダウンリンクサブフレームが、同じＡＣＫチャネルセットにマッピングされ、また、ＡＣＫチャネルラベルへのＣＣＥラベルの１対１のマッピングが、依然としてサブフレームにおいて採用される。即ち、マッピングプロセスにおいて、複数のダウンリンクサブフレームに同じマッピングラベルｄが割り当てられる。同じマッピングラベルｄが割り当てられたダウンリンクサブフレームの場合、予約されたＡＣＫチャネルの数は、ダウンリンクサブフレームのいずれか１つのＣＣＥの最大数より小さくならない。３ＧＰＰ＿Ｅ−ＵＴＲＡシステムの場合、これの意味することは、特殊サブフレーム及び通常のダウンリンクサブフレームに同じマッピングラベルｄが割り当てられた場合、その対応するＡＣＫチャネルセットには、ＮＣＣＥ，３個のＡＣＫチャネルが存在することである。
【００６４】
ＢＳは、上位の信号送信により、例えば、ブロードキャストにより、マッピングラベルｄの割当てに関してユーザに通知し得る。
【００６５】
ＢＳ及びＵＥは、ラベルｄを有するサブフレームにおいて、ラベルｎＣＣＥを備えたＣＣＥにマッピングされるＡＣＫチャネルラベル
【数２８】
2015173509.tif 000031
を次のプロセスに従って決定する。即ち、まず、ｎＣＣＥの値に従って、マッピングされたＡＣＫチャネルは、ラベルｄを有するサブフレームにおけるラベルｍを備えたサブブロックに属すると判断され、例えば、３ＧＰＰ＿Ｅ−ＵＴＲＡシステムの場合、判断プロセスには、
【数２９】
2015173509.tif 000032
から、式（１）
【数３０】
2015173509.tif 000033
を満足するために、ｍの値を選択する段階が含まれ、そして、上記ステップで得られたｍの値は、式（２）
【数３１】
2015173509.tif 000034
に代入され、割り当てられたＡＣＫチャネルラベルを計算する。
【００６６】
方法２では、互いに重なり合わないＡＣＫチャネルセットが、各ダウンリンクサブフレームのために予約されるが、ＡＣＫチャネルラベルへのＣＣＥラベルの１対１マッピングは、サブフレームにおいて採用されず、その代わり、複数のＣＣＥには、同じＡＣＫチャネルを割り当ててよい。共通に用いられる方法は、連続したラベルを有するＫ個のＣＣＥ毎に１つのＡＣＫチャネルを予約することである。具体的なステップを、以下に列挙する。
【００６７】
Ｎ個のダウンリンクサブフレームのために予約された
【数３２】
2015173509.tif 000035
個のチャネル、又は
【数３３】
2015173509.tif 000036
個のチャネルは、Ｎ個のブロックに分割され、また、各ブロックは、
【数３４】
2015173509.tif 000037
個のチャネル、又は
【数３５】
2015173509.tif 000038
個のチャネルを含む。各ダウンリンクサブフレームには、予め設定された規則に従って、マッピングラベルｄが割り当てられ、また、各マッピングラベルは、１つのブロックに対応する。ＩＮＴＥＧＥＲ（）は、丸め演算を表し、切り上げ演算
【数３６】
2015173509.tif 000039
又は、切り捨て演算
【数３７】
2015173509.tif 000040
であってよい。Ｋが１より大きい場合、予約されるＡＣＫチャネルの数は、ＣＣＥの数の
１／Ｋに減少することが分かり、従って、Ｋは、ＡＣＫ資源低減要素とも称し得る。
【００６８】
合計
【数３８】
2015173509.tif 000041
個のチャネルが予約される場合、即ち、各ダウンリンクサブフレームのために
【数３９】
2015173509.tif 000042
個のＡＣＫチャネルが予約される場合、各ブロックは、ｍａｘ｛Ｍｉ｝個のサブブロックに分割され、また、ラベルｍを有するサブブロックは、
【数４０】
2015173509.tif 000043
個のＡＣＫチャネルを含み、ここで、０≦ｍ＜ｍａｘ｛Ｍｉ｝である。合計
【数４１】
2015173509.tif 000044
個のチャネルが予約される場合、即ち、各ダウンリンクサブフレームのために
【数４２】
2015173509.tif 000045
個のＡＣＫチャネルが予約される場合、各ブロックは、Ｍｉ個のサブブロックに分割され、また、ラベルｍを有するサブブロックは、
【数４３】
2015173509.tif 000046
個のＡＣＫチャネルを含み、ここで、０≦ｍ＜Ｍｉである。
【００６９】
全てのＡＣＫチャネルは、サブブロックにマッピングされ、まずマッピングラベルｄの昇順に、次いでサブブロックラベルｍの昇順に配置される。３ＧＰＰ＿Ｅ−ＵＴＲＡシステムの場合、１つのＰＤＣＣＨは、１、２、４、又は８個のＣＣＥによって形成し得るため、Ｋは、セット｛１、２、４、８｝の空でないサブセットの値をとることが推奨され、また、特定のＫの値は、上位信号送信を介して、ＢＳによってユーザに通知される。
【００７０】
ＢＳ及びＵＥは、ラベルｄを有するサブフレームにおけるラベルｎＣＣＥを備えたＣＣＥにマッピングされたＡＣＫチャネルラベル
【数４４】
2015173509.tif 000047
を、次のプロセスに従って決定する。まず、ｎＣＣＥの値に従って、マッピングされたＡＣＫチャネルは、ラベルｄを有するサブフレームにおけるラベルｍを備えたサブブロックに属すると判断されるが、例えば、３ＧＰＰ＿Ｅ−ＵＴＲＡシステムの場合、判断プロセスには、
【数４５】
2015173509.tif 000048
から、式（３）
【数４６】
2015173509.tif 000049
を満足するために、ｍの値を選択する段階が含まれ、そして、上記ステップで得られたｍの値は、式（４）
【数４７】
2015173509.tif 000050
に代入され、割り当てられるＡＣＫチャネルラベルを計算する。Ｋ＝１の場合、式（３）及び（４）は、単純化され、それぞれ式（１）及び（２）となる。
【００７１】
方法２では、複数のＣＣＥを同じＡＣＫチャネルにマッピングする形態は、幾つかのサブフレーム用に採用され、また、各ＣＣＥを異なるＡＣＫチャネルにマッピングする形態（即ち、ＡＣＫチャネルラベルへのＣＣＥラベルの１対１のマッピング形態）は、他のサブフレームのために採用される。
【００７２】
方法２では、ＩＮＴＥＧＥＲ（）が、特に、切り捨て演算
【数４８】
2015173509.tif 000051
を表す場合、サブフレームにおいてＫの端数を切り捨てた後に残る幾つかのＣＣＥは、対応するＡＣＫチャネルを有さないことがある。例えば、ラベルｉを有するサブフレームのために、
【数４９】
2015173509.tif 000052
個のＡＣＫチャネルが予約された場合、ＮＣＣＥ，ＭｉがＫで割り切れなければ、ラベル 
【数５０】
2015173509.tif 000053
を有するＣＣＥだけが、ＡＣＫチャネルにマッピングでき、そして、ラベル
【数５１】
2015173509.tif 000054
を有する他のＣＣＥは、式（３）及び（４）に従って、ＡＣＫチャネルにマッピングできない。従って、ＢＳ側では、ラベル
【数５２】
2015173509.tif 000055
を有するＣＣＥは、ダウンリンクスケジューリング割当て許可命令を搬送するＰＤＣＣＨによって占有された初期のＣＣＥとして、割り当てられない。
【００７３】
方法１では、同じマッピングラベルｄを割り当てられた複数のダウンリンクサブフレーム用のＡＣＫチャネル間の衝突を回避するために、或る制限を課し得る。例えば、同じマッピングラベルｄを割り当てられた複数のダウンリンクサブフレームにおいて同じラベルを有するＣＣＥの内、せいぜい１つのＣＣＥが、ダウンリンクスケジューリング割当て許可命令を搬送するＰＤＣＣＨによって占有された初期のＣＣＥとして選択される。
【００７４】
方法２でも、マッピング処理後、サブフレームのＡＣＫチャネル間の衝突を回避するために、或る制限を課し得る。例えば、連続したラベルを有するＫ個の各ＣＣＥの内、せいぜい１つのＣＣＥが、ダウンリンクスケジューリング割当て許可命令を搬送するＰＤＣＣＨによって占有された初期のＣＣＥとして選択される。単純な実施方法は、ダウンリンクスケジューリング割当て許可命令を搬送する全てのＰＤＣＣＨによって占有された初期のＣＣＥのラベルをＫの倍数に限定することである。
【００７５】
式（３）及び（４）を用いたマッピング処理の効果について、具体的な例を通して以下に示す。式（１）及び（２）は、Ｋ＝１の場合の式（３）及び（４）の特別なケースであり、式（１）及び（２）の例は、特に以下に提示しない。
【００７６】
表１に示すように、システム帯域幅が２０ＭＨｚ、また、２本のアンテナが構成され、ｎが、１、２、及び３、の値をとる場合、ＮＣＣＥ，1＝１７、ＮＣＣＥ，２＝５０、及びＮＣＣＥ，３＝８４である。本例において、１つのアップリンクサブフレームにおいてＡＣＫをフィードバックするのに必要なダウンリンクサブフレームの数は、３、即ち、Ｎ＝３であり、また、その３つのサブフレームは、全て普通のサブフレームである。従って、式（３）及び（４）を用いて各サブフレームのＣＣＥラベルにマッピングされたＡＣＫチャネルラベルは、Ｋ＝１、２、４、及び８であって、また、ＩＮＴＥＧＥＲ（）が、特に、切り上げ演算
【数５３】
2015173509.tif 000056
を表す場合、それぞれ表２、３、４、及び５に示す通りである。
【表２】
2015173509.tif 000057
【表３】
2015173509.tif 000058
【表４】
2015173509.tif 000059
【表５】
2015173509.tif 000060
【００７７】
表２乃至５のデータから分かるように、Ｋの値が大きくなる程、割当てが必要なＡＣＫチャネルは、少なくなり、これにより、ＡＣＫチャネル資源のオーバーヘッドが減少する。
【００７８】
当業者が理解されたいことは、上記実施形態におけるステップの全て又は一部は、プログラム命令下で適切なハードウェアによって実現することができ、また、プログラムは、読み出し専用メモリ（ＲＯＭ）もしくはランダムアクセスメモリ（ＲＡＭ）、磁気ディスク又は光ディスク等のコンピュータ判読可能記憶媒体に記憶し得ることである。
【００７９】
方法のステップは、上記説明では、理解を容易にするために、順次説明したが、上記ステップの順番は、厳密に限定されないことを理解されたい。
【００８０】
一実施形態において、ＡＣＫチャネルをユーザに割り当てるための装置７０１は、図７に示すようなものである。装置７０１には、予約ユニット７０２及び割当てユニット７０３が含まれる。予約ユニット７０２は、各ダウンリンクサブフレーム（特殊サブフレームを含む）のためにチャネルを予約するように構成されるが、例えば、
【数５４】
2015173509.tif 000061
個のＡＣＫチャネル、又は
【数５５】
2015173509.tif 000062
個のＡＣＫチャネルが、各サブフレームのために予約され、即ち、合計
【数５６】
2015173509.tif 000063
個のチャネル、又は
【数５７】
2015173509.tif 000064
個のチャネルが、予約される。割当てユニット７０３は、予約されたＡＣＫチャネルをＮ個のダウンリンクサブフレームに割り当てるように構成される。具体的には、割当てユニット７０３は、予約されたＡＣＫチャネルをＮ個のブロックに分割し、予め設定された規則に従って、各ダウンリンクサブフレームにマッピングラベルｄを割り当て（各マッピングラベルは、１つのブロックに対応する）、各ブロックを複数のサブブロックに分割し、そして、まずマッピングラベルｄの昇順に、次にサブブロックラベルｍの昇順に、ＡＣＫチャネルを各ダウンリンクサブフレームに割り当てる。予め設定された規則は、特殊サブフレームが最後の位置に置かれるマッピング形態、又はｎの最大の実際値を有するサブフレームが、先頭位置に置かれるマッピング形態、特に、サブフレームについて、ｎの最大の実際値から、ｎの最小の実際値までのシーケンスでのマッピング形態であってよい。
【００８１】
各ブロックを複数のサブブロックに分割する処理時、
【数５８】
2015173509.tif 000065
個のチャネルが、各サブフレームのために予約された場合、各ブロックは、ｍａｘ｛Ｍｉ｝個のサブブロックに分割され、また、ラベルｍを有するサブブロックは、
【数５９】
2015173509.tif 000066
個のチャネルを含み、また、
【数６０】
2015173509.tif 000067
個のチャネルが、各サブフレームのために予約された場合、各ブロックは、Ｍｉ個のサブブロックに分割され、また、ラベルｍを有するサブブロックは、
【数６１】
2015173509.tif 000068
個のチャネルを含む。
【００８２】
割当て形態は、以下の通りであってよい。
【００８３】
ＡＣＫチャネルは、Ｋ個の連続したＣＣＥを１つのＡＣＫチャネルにマッピングする形態で、ダウンリンクサブフレームに割り当てられ、他の選択肢として、ＡＣＫチャネルは、複数のダウンリンクサブフレームを同じＡＣＫチャネルセットにマッピングする形態で、ダウンリンクサブフレームに割り当てられる。
【００８４】
他の選択肢として、各ブロックが、ｍａｘ｛Ｍｉ｝個のサブブロックに分割される場合、同じサブフレーム内において、ラベル｛０、１、．．．、ＮＣＣＥ，1−１−△１｝、｛ＮＣＣＥ，1−△１、ＮＣＣＥ，1−△１＋１、．．．、ＮＣＣＥ，２−１−△２｝、．．．、｛ＮＣＣＥ，Ｍｉ−１−△Ｍｉ−１、ＮＣＣＥ，Ｍｉ−１−△Ｍｉ−１＋１、．．．、ＮＣＣＥ，Ｍｉ−１｝を有するＣＣＥセットは、異なるサブブロックにそれぞれマッピングされ、また、各ブロックが、Ｍｉ個のサブブロックに分割される場合、同じサブフレーム内において、ラベル｛０、１、．．．、ＮＣＣＥ，1−１−△１｝、｛ＮＣＣＥ，1−△１、ＮＣＣＥ，1−△１＋１、．．．、ＮＣＣＥ，２−１−△２｝、．．．、｛ＮＣＣＥ，Ｍｉ−１−△Ｍｉ−１、ＮＣＣＥ，Ｍｉ−１−△Ｍｉ−１＋１、．．．、ＮＣＣＥ，Ｍｉ−１｝を有するＣＣＥセットは、異なるサブブロックにそれぞれマッピングされる。
【００８５】
他の実施形態において、予約ユニット７０２は、ＮＣＣＥ，ｍａｘ｛Ｍｉ｝又はＮＣＣＥ，Ｍｉ個のＡＣＫチャネルを各ダウンリンクサブフレームのために予約するように構成され、また、割当てユニット７０３は、予約されたＡＣＫチャネルの間で各サブフレームにＡＣＫチャネルを連続的にマッピングする形態で、ダウンリンクサブフレームにＡＣＫチャネルを割り当てるように構成される。
【００８６】
一実施形態において、通信システム８０１は、図８に示すように提供される。通信システム８０１には、ＡＣＫチャネルをユーザに割り当てるための装置８０２と、ＵＥ８０３とが含まれる。装置８０２には、更に、予約ユニット及び割当てユニットが含まれ、それぞれ予約ユニット８０２及び割当てユニット８０３と同じ機能を有する。装置８０２は、ネットワーク側、例えば、ネットワーク側のＢＳに配置される。ＵＥは、予めＡＣＫチャネルを割り当てるための規則を取得しているため、ＵＥは、直接、割り当てられたＡＣＫチャネルを介して、ネットワーク側にＮ個のダウンリンクサブフレームのＡＣＫ情報をフィードバックする。
【００８７】
添付図面（又は、本実施形態）における装置又はユニットは、単なる代表例に過ぎず、論理構造を表すものであり、それらの内、別個の構成要素として図示したユニットは、物理的には分離してもしなくてもよく、また、ユニットとして図示した構成要素は、物理的なユニットであってもなくてもよく、即ち、１箇所に配置してもよく又は複数のネットワークユニットに分散してもよいことを理解されたい。
【００８８】
添付図面及び関連する説明は、単に本発明の原理を示すことを意図しており、本発明の範囲を限定しようとするものではない。例えば、本実施形態について３ＧＰＰ＿ＴＤＤシステムに基づいて述べたが、本発明の技術的解決策は、１つのアップリンクサブフレームにおいて複数のダウンリンクサブフレームのＡＣＫ／ＮＡＫをフィードバックする必要がある限り、他のネットワーク又はシステム、例えば、半二重ＦＤＤ（ＨＤ−ＦＤＤ）にも適用可能である。従って、任意の修正、等価な変形、又は本発明の原理から逸脱することなく行われる改善は、本発明の範囲内にある。
【符号の説明】
【００８９】
７０１ ＡＣＫチャネルをユーザに割り当てるための装置
７０２ 予約ユニット
７０３ 割当てユニット
８０１ 通信システム
８０２ 予約ユニット
８０３ 割当てユニット
【図１】
2015173509.tif 000081
【図２】
2015173509.tif 000082
【図３】
2015173509.tif 000083
【図４】
2015173509.tif 000084
【図５】
2015173509.tif 000085
【図６】
2015173509.tif 000086
【図７】
2015173509.tif 000087
【図８】
2015173509.tif 000088
【外国語明細書】
2015173509000001.pdf